(57)【要約】      （修正有）【課題】ユーザが所望する形式で、印刷指示に含まれるページを複数のページからなる集合に分けることができる情報処理装置、用紙処理システム及びプログラムを提供する。【解決手段】印刷指示を生成する際、前記印刷指示に含まれるページを複数のページからなる集合に含めるよう設定する第１の設定手段と、前記印刷指示に新たなページを追加する場合、前記追加するページを前記集合に含めるよう設定する第２の設定手段と、前記集合に含めることが設定されたページに施す後処理の種別を設定する第３の設定手段と、用紙に後処理を施す後処理装置に、前記第１の設定手段、前記第２の設定手段及び前記第３の設定手段によって設定された内容を送信する送信手段とを有する。【選択図】図３
2013097527.tif 000002
【特許請求の範囲】
【請求項１】
印刷指示を生成する際、前記印刷指示に含まれるページを複数のページからなる集合に含めるよう設定する第１の設定手段と、
前記印刷指示に新たなページを追加する場合、前記追加するページを前記集合に含めるよう設定する第２の設定手段と、
前記集合に含めることが設定されたページに施す後処理の種別を設定する第３の設定手段と、
用紙に後処理を施す後処理装置に、前記第１の設定手段、前記第２の設定手段及び前記第３の設定手段によって設定された内容を送信する送信手段と
を有する情報処理装置。
【請求項２】
前記第２の設定手段は、表表紙及び裏表紙を新たなページとして前記集合に含めるよう設定する
請求項１に記載の情報処理装置。
【請求項３】
前記第２の設定手段は、合紙を新たなページとして前記集合に含めないよう設定する
請求項１に記載の情報処理装置。
【請求項４】
印刷指示を生成する際、前記印刷指示に含まれるページを複数のページからなる集合に含めるよう設定する第１の設定手段と、
前記印刷指示に新たなページを追加する場合、前記追加するページを前記集合に含めるよう設定する第２の設定手段と、
前記集合に含めることが設定されたページに施す後処理の種別を設定する第３の設定手段と、
前記第１の設定手段、前記第２の設定手段及び前記第３の設定手段によって設定された内容に基づいて、新たなページが追加された後の前記印刷指示に含まれるページをどのようにして前記集合に分けるかを判定する判定手段と、
前記判定手段による判定結果に基づいて、用紙に後処理を施す後処理手段と
を有する用紙処理システム。
【請求項５】
前記第２の設定手段は、表表紙及び裏表紙を新たなページとして前記集合に含めるよう設定する
請求項４に記載の用紙処理システム。
【請求項６】
前記第２の設定手段は、合紙を新たなページとして前記集合に含めないよう設定する
請求項４に記載の用紙処理システム。
【請求項７】
前記印刷指示において複数のページからなる集合、前記印刷指示に含まれるページを前記集合に含むか否か、及び、前記集合に含まれるページに施す後処理の種別を予め記憶する記憶部
をさらに有し、
前記判定手段は、前記第２の設定手段において、前記印刷指示に含まれるページを前記集合に含むか否かが設定されておらず、前記第３の設定手段において、前記集合に含まれるページに施す後処理の種別が設定されていない場合、前記記憶部から、前記印刷指示に含まれるページを前記集合に含むか否か、及び、前記集合に含まれるページに施す後処理の種別を読み出し、読み出した内容に基づいて、新たなページが追加された後の前記印刷指示に含まれるページをどのようにして前記集合に分けるかを判定する
請求項４に記載の用紙処理システム。
【請求項８】
前記印刷指示に含まれるページを前記集合に含むか否か、及び、前記集合に含まれるページに施す後処理の種別を変更する変更手段
をさらに有する請求項７に記載の用紙処理システム。
【請求項９】
印刷指示を生成する際、前記印刷指示に含まれるページを複数のページからなる集合に含めるよう設定する第１の設定ステップと、
前記印刷指示に新たなページを追加する場合、前記追加するページを前記集合に含めるよう設定する第２の設定ステップと、
前記集合に含めることが設定されたページに施す後処理の種別を設定する第３の設定ステップと、
用紙に後処理を施す後処理装置に、前記第１の設定ステップ、前記第２の設定ステップ及び前記第３の設定ステップにおいて設定された内容を送信する送信ステップと
をコンピュータに実行させるプログラム。
【発明の詳細な説明】
【技術分野】
【０００１】
本発明は、情報処理装置、用紙処理システム及びプログラムに関する。
【背景技術】
【０００２】
特許文献１には、文書ファイルが当該文書ファイルを複数のページの集合に分割する分割属性を有する場合に、分割属性に応じたシフト排紙属性を設定することが開示されている。
【先行技術文献】
【特許文献】
【０００３】
【特許文献１】特開２００５−７１１４０号公報
【発明の概要】
【発明が解決しようとする課題】
【０００４】
本発明の目的は、ユーザが所望する形式で、印刷指示に含まれるページを複数のページからなる集合に分けることができる情報処理装置、用紙処理システム及びプログラムを提供することである。
【課題を解決するための手段】
【０００５】
上記目的を達成するために、請求項１に係る情報処理装置は、印刷指示を生成する際、前記印刷指示に含まれるページを複数のページからなる集合に含めるよう設定する第１の設定手段と、前記印刷指示に新たなページを追加する場合、前記追加するページを前記集合に含めるよう設定する第２の設定手段と、前記集合に含めることが設定されたページに施す後処理の種別を設定する第３の設定手段と、用紙に後処理を施す後処理装置に、前記第１の設定手段、前記第２の設定手段及び前記第３の設定手段によって設定された内容を送信する送信手段とを有する。
【０００６】
請求項２に係る情報処理装置において、前記第２の設定手段は、表表紙及び裏表紙を新たなページとして前記集合に含めるよう設定する。
【０００７】
請求項３に係る情報処理装置において、前記第２の設定手段は、合紙を新たなページとして前記集合に含めないよう設定する。
【０００８】
上記目的を達成するために、請求項４に係る用紙処理システムは、印刷指示を生成する際、前記印刷指示に含まれるページを複数のページからなる集合に含めるよう設定する第１の設定手段と、前記印刷指示に新たなページを追加する場合、前記追加するページを前記集合に含めるよう設定する第２の設定手段と、前記集合に含めることが設定されたページに施す後処理の種別を設定する第３の設定手段と、前記第１の設定手段、前記第２の設定手段及び前記第３の設定手段によって設定された内容に基づいて、新たなページが追加された後の前記印刷指示に含まれるページをどのようにして前記集合に分けるかを判定する判定手段と、前記判定手段による判定結果に基づいて、用紙に後処理を施す後処理手段とを有する。
【０００９】
請求項５に係る情報処理装置において、前記第２の設定手段は、表表紙及び裏表紙を新たなページとして前記集合に含めるよう設定する。
【００１０】
請求項６に係る情報処理装置において、前記第２の設定手段は、合紙を新たなページとして前記集合に含めないよう設定する。
【００１１】
請求項７に係る情報処理装置は、前記印刷指示において複数のページからなる集合、前記印刷指示に含まれるページを前記集合に含むか否か、及び、前記集合に含まれるページに施す後処理の種別を予め記憶する記憶部をさらに有し、前記判定手段は、前記第２の設定手段において、前記印刷指示に含まれるページを前記集合に含むか否かが設定されておらず、前記第３の設定手段において、前記集合に含まれるページに施す後処理の種別が設定されていない場合、前記記憶部から、前記印刷指示に含まれるページを前記集合に含むか否か、及び、前記集合に含まれるページに施す後処理の種別を読み出し、読み出した内容に基づいて、新たなページが追加された後の前記印刷指示に含まれるページをどのようにして前記集合に分けるかを判定する。
【００１２】
請求項８に係る情報処理装置は、前記印刷指示に含まれるページを前記集合に含むか否か、及び、前記集合に含まれるページに施す後処理の種別を変更する変更手段をさらに有する。
【００１３】
上記目的を達成するために、請求項９に係るプログラムは、印刷指示を生成する際、前記印刷指示に含まれるページを複数のページからなる集合に含めるよう設定する第１の設定ステップと、前記印刷指示に新たなページを追加する場合、前記追加するページを前記集合に含めるよう設定する第２の設定ステップと、前記集合に含めることが設定されたページに施す後処理の種別を設定する第３の設定ステップと、用紙に後処理を施す後処理装置に、前記第１の設定ステップ、前記第２の設定ステップ及び前記第３の設定ステップにおいて設定された内容を送信する送信ステップとをコンピュータに実行させる。
【発明の効果】
【００１４】
請求項１に係る本発明によれば、本構成を有しない場合に比べ、ユーザが所望する形式で、印刷指示に含まれるページを複数のページからなる集合に分けることができる。
【００１５】
請求項２に係る本発明によれば、本構成を有しない場合に比べ、表紙が挿入される場合であっても、ユーザが所望する形式で、印刷指示に含まれるページを複数のページからなる集合に分けることができる。
【００１６】
請求項３に係る本発明によれば、本構成を有しない場合に比べ、合紙が挿入される場合であっても、ユーザが所望する形式で、印刷指示に含まれるページを複数のページからなる集合に分けることができる。
【００１７】
請求項４に係る本発明によれば、本構成を有しない場合に比べ、ユーザが所望する形式で、印刷指示に含まれるページを複数のページからなる集合に分けることができる。
【００１８】
請求項５に係る本発明によれば、本構成を有しない場合に比べ、表紙が挿入される場合であっても、ユーザが所望する形式で、印刷指示に含まれるページを複数のページからなる集合に分けることができる。
【００１９】
請求項６に係る本発明によれば、本構成を有しない場合に比べ、合紙が挿入される場合であっても、ユーザが所望する形式で、印刷指示に含まれるページを複数のページからなる集合に分けることができる。
【００２０】
請求項７に係る本発明によれば、本構成を有しない場合に比べ、印刷指示において複数のページからなる集合、印刷指示に含まれるページを集合に含むか否か、及び、集合に含まれるページに施す後処理の種別を予め記憶することができる。
【００２１】
請求項８に係る本発明によれば、本構成を有しない場合に比べ、印刷指示に含まれるページを集合に含むか否か、及び、集合に含まれるページに施す後処理の種別を変更することができる。
【００２２】
請求項９に係る本発明によれば、本構成を有しない場合に比べ、ユーザが所望する形式で、印刷指示に含まれるページを複数のページからなる集合に分けることができる。
【図面の簡単な説明】
【００２３】
【図１】用紙処理システムの構成を示す図である。
【図２】図１の情報処理装置及び画像形成装置で動作するプログラムの構成を示す図である。
【図３】図１の情報処理装置のディスプレイなどに表示される、設定画面の例である。
【図４】図１の情報処理装置のディスプレイなどに表示される、設定画面の例である。
【図５】図１の情報処理装置のディスプレイなどに表示される、設定画面の例である。
【図６Ａ】図１の情報処理装置を介して入力された内容に基づいて生成される、印刷指示を説明するための図である。
【図６Ｂ】図１の情報処理装置を介して入力された内容に基づいて生成される、印刷指示を説明するための図である。
【図７】図１の情報処理装置を介して入力された内容に基づいて生成される、印刷指示の例である。
【図８Ａ】図１のＵＩに表示される、変更画面の例である。
【図８Ｂ】図１のＵＩに表示される、変更画面の例である。
【図９】サブセット分割判定処理を示すフローチャートである。
【発明を実施するための形態】
【００２４】
以下、本発明の実施形態を説明する。なお、以下の説明は本発明を実施するのにあたっての一例に過ぎず、本発明が以下に説明される事項に限定されるわけではなく、必要に応じて適宜変更可能である。
例えば、以下、画像形成装置に接続された情報処理装置を介して印刷指示が生成されるものとして説明しているが、画像形成装置に備えられたＵＩを介して印刷指示が生成されてもよい。また、画像形成装置、用紙処理装置及び用紙供給装置を別々の装置として構成するものとして説明しているが、いずれか二つの装置を一つの装置として構成してもよいし、三つの装置を一つの装置として構成してもよい。
【００２５】
図１は、本発明の実施形態に係る情報処理装置に接続される用紙処理システムの構成を示す図である。
図１に示すように、用紙処理システム１は、用紙に対して画像を形成する画像形成装置１０、画像形成装置１０により画像が形成された用紙に対してステープル、中綴じ、パンチ、オフセット及び簡易製本などの後処理（フィニッシング）を施す用紙処理装置１２、及び、画像形成装置１０に対して用紙を供給する用紙供給装置１４を備える。
用紙供給装置１４から用紙処理装置１２にかけて第１の搬送経路Ｒ１が設けられ、第１の搬送経路Ｒ１には搬送ロール１００が設けられる。以下、他の搬送経路についても同様に搬送ロール１００が設けられるものとする。
【００２６】
[画像形成装置１０]
画像形成装置１０は、画像形成装置１０の各部、用紙処理装置１２及び用紙供給装置１４の動作を制御する全体制御部１０２、画像データに対して画像処理を施す画像処理部３１０、用紙に対して画像を形成する画像形成部１０４、並びに、ユーザインターフェース（以下、「ＵＩ」）１０６を備える。
画像形成装置１０は、ケーブル及びコネクタなどを介して、一般的なコンピュータの機能を備える情報処理装置１０８及びスキャナなどの読取装置１１０と互いに通信可能に接続される。
【００２７】
全体制御部１０２は、例えば、ＣＰＵ、メモリ、記憶媒体及びこれらを接続するバスなどを備える制御基板である。全体制御部１０２は、ケーブル及びコネクタなどを介して、画像形成装置１０の各部（画像処理部３１０、画像形成部１０４及びＵＩ１０６）、後述する用紙処理制御部１２０及び用紙供給制御部１４６と互いに通信可能に接続され、外部から入力された印刷指示（印刷ジョブ）などに基づいて、画像形成装置１０の各部、用紙処理装置１２及び用紙供給装置１４の動作を制御する。
【００２８】
印刷指示は、後述するように、情報処理装置１０８におけるユーザの入力操作に基づいて生成され、画像データ及び印刷属性により構成される。
画像データは、印刷対象の画像データであり、例えば、情報処理装置１０８及び読取装置１１０から送信され、メモリなどに記憶される。ここでは、画像データは、複数のページからなるものとする。
印刷属性は、印刷時の設定であり、例えば、用紙サイズ、印刷部数、表表紙などの有無及び後処理の種別である。印刷属性には、１つの印刷指示全体に設定されるグローバル属性及びページごとに設定されるページ属性がある。グローバル属性及びページ属性は互いに競合しないように設定される。例えば、グローバル属性は、サブセットを構成するページの数であり、ページ属性は、表表紙の用紙サイズである。なお、サブセットとは、１つの印刷指示内で定義されるページの集合の単位である。
【００２９】
後述するように、情報処理装置１０８において、サブセットを構成するページの数を設定した後、ページごとに（つまり、ページ属性として）、ページをサブセットとしてカウントすることを設定することにより、サブセットを設定することができる。さらに、サブセットとしてカウントすることを設定したページの少なくともいずれかに後処理を施すことを設定することにより、サブセットごとに後処理を施すことを設定することができる。
以下、ページ属性のうち、サブセットに関するものをサブセット属性と記載する。
【００３０】
なお、あるサブセットにはステープルを施すが、他のサブセットにはステープルを施さないなど、サブセットごとに異なる後処理を施すことを設定してもよい。また、サブセットごとに後処理を施すことを設定した後、新たなページ（例えば、印刷済みの表表紙のページ及び印刷済みの裏表紙のページ）をサブセットに追加することや、新たなページ（例えば、白紙のページ）をサブセット間に追加することを別途設定してもよい。
後述するように、サブセットを構成するページの数が設定された場合には、用紙はコンパイルトレイ１３８に集積され、後処理が施されるから、サブセットとしてカウントすることを設定したページに対し、後処理を施さないと設定することはできない。
【００３１】
印刷属性は、画像形成装置１０の出荷時などに予めメモリなどに記憶される（つまり、デフォルトの印刷属性がメモリなどに記憶される）。印刷指示において特に指定のない印刷属性については、デフォルトの印刷属性が反映される。後述するように、デフォルトの印刷属性は、ＵＩ１０６を介して変更することができる。
【００３２】
画像形成部１０４は、第１の搬送経路Ｒ１を経由して用紙供給装置１４から搬送された用紙に対し、電子写真方式に基づいて画像を形成する。つまり、画像形成部１０４は、帯電、露光及び現像などのプロセスを経て、感光体ドラムや中間転写体などの像保持体にトナー像を形成し、転写装置により用紙に転写した後、定着器により用紙に定着させる。画像形成部１０４による画像形成後の用紙は、第１の搬送系路Ｒ１を経由して、用紙処理装置１２に搬送される。
ＵＩ１０６は、例えば、表示パネルであり、デフォルトの印刷属性の変更を受け付け、メモリなどに記憶されたデフォルトの印刷属性を変更する。
【００３３】
[用紙処理装置１２]
用紙処理装置１２は、用紙処理装置１２の各部の動作を制御する用紙処理制御部１２０、画像形成装置１０から搬送された用紙をさらに搬送するトランスポートユニット１２２、トランスポートユニット１２２から搬送された用紙に対して内三つ折り（Ｃ折り）や外三つ折り（Ｚ折り）折りを施す折りユニット１２４、折りユニット１２４を通過した用紙に後処理を施すフィニッシャ１２６、並びに、表表紙、裏表紙及び合紙などの挿入紙を供給するインターポーザ１２８を備える。
用紙処理制御部１２０は、全体制御部１０２と同様、ＣＰＵ、メモリ、記憶媒体及びこれらを接続するバスなどを備える制御基板であり、ケーブル及びコネクタなどを介して、用紙処理装置１２の各部（トランスポートユニット１２２、折りユニット１２４、フィニッシャ１２６及びインターポーザ１２８）と互いに通信可能に接続され、用紙処理装置１２の各部の動作を制御する。
ここでは、用紙処理制御部１２０はフィニッシャ１２６に設けられているが、トランスポートユニット１２２、折りユニット１２４及びインターポーザ１２８に設けられてもよい。
【００３４】
折りユニット１２４は、用紙に対して内三つ折り（Ｃ折り）や外三つ折り（Ｚ折り）折りを施す折り機能部１３０を備える。
フィニッシャ１２６は、用紙に対してステープル処理を施すステープル機能部１３２、用紙束を中綴じして製本する中綴じ製本機能部、及び、用紙に対して２穴や４穴の穴あけを施すパンチ機能部を備える（ステープル機能部１３２のみ図示）。フィニッシャ１２６には、第１の搬送経路Ｒ１から分岐して設けられた分岐搬送経路Ｂが設けられ、分岐搬送経路Ｂを経由して搬送された用紙を積載する第１の用紙積載部１３４が設けられる。また、フィニッシャ１２６には、第１の搬送経路Ｒ１を経由して搬送された用紙及びステープル機能部１３２などにより後処理が施された用紙（又は用紙束）を積載する第２の用紙積載部１３６が設けられる。
図示しないが、フィニッシャ１２６には、用紙の搬送先を第１の搬送経路Ｒ１から分岐搬送経路Ｂに切り替えるためのゲートや、ゲートを駆動させるためのソレノイドなどの駆動源が設けられる。
【００３５】
ここで、ステープル機能部１３２の詳細を説明する。ステープル機能部１３２は、第１の搬送経路Ｒ１を経由して搬送された用紙を集積して１つの用紙束を形成するコンパイルトレイ１３８、コンパイルトレイ１３８上の用紙束に対してステープル処理を施すステープルヘッド１４０、及び、ステープルヘッド１４０によるステープル処理後の用紙束を第２の用紙積載部１３６に搬送する排出ロールを備える（コンパイルトレイ１３８及びステープルヘッド１４０のみ図示）。
ステープルヘッド１４０は、コンパイルトレイ１３８上の用紙束の枚数が、サブセットを構成するページの数として設定された値に達した場合、コンパイルトレイ１３８上の用紙束に対してステープル処理を施す。サブセットを構成するページの数が設定された場合には、用紙はコンパイルトレイ１３８に集積される。
【００３６】
インターポーザ１２８は、挿入紙を積載する複数の積載部１４２、及び、複数の積載部１４２それぞれに対応して設けられ、挿入紙を送り出す送り出しロール１４４を備える。
ここでは、積載部１４２−１〜１４０−３が設けられ、積載部１４２−１には表表紙として用いられる印刷済みの用紙が積載され、積載部１４２−２には裏表紙として用いられる印刷済みの用紙が積載され、積載部１４２−３には合紙として用いられる白紙が積載されるものとする。また、表表紙を送り出す送り出しロール１４４−１、裏表紙を送り出す送り出しロール１４４−２及び合紙を送り出す送り出しロール１４４−３が設けられるものとする。
【００３７】
インターポーザ１２８及びトランスポートユニット１２２には、第１の搬送経路Ｒ１に合流する第２の搬送経路Ｒ２が設けられる。送り出しロール１４４によって送り出された表紙及び合紙などは、第２の搬送経路Ｒ２を経由して、第１の搬送経路Ｒ１に送り出される。
図中のＩは、第２の搬送経路Ｒ２が第１の搬送経路Ｒ１に合流する位置を示す。
【００３８】
[用紙供給装置１４]
用紙供給装置１４は、用紙供給装置１４の動作を制御する用紙供給制御部１４６、用紙を収容する用紙収容部１４８、及び、用紙収容部１４８に収容された用紙を第１の搬送経路Ｒ１に送り出す送り出しロール１５０を備える。用紙収容部１４８は、例えば、Ａ３サイズの用紙、Ｂ４サイズの用紙、Ａ４サイズの用紙、Ｂ５サイズの用紙及びＡ５サイズの用紙を収容する。
用紙供給制御部１４６は、全体制御部１０２などと同様、ＣＰＵ、メモリ、記憶媒体及びこれらを接続するバスなどを備える制御基板であり、ケーブル及びコネクタなどを介して、用紙供給装置１４の各部（用紙収容部１４８及び送り出しロール１５０）と互いに通信可能に接続され、用紙供給装置１４の各部の動作を制御する。
【００３９】
図２は、図１の情報処理装置１０８及び画像形成装置１０で動作するプログラムの構成を示す図である。
[情報処理装置１０８で動作するプログラム]
図２に示すように、情報処理装置１０８では、設定受付部２００及び印刷指示生成部２０２が動作する。情報処理装置１０８は、ＣＰＵ及びメモリなどを備える制御基板、ディスプレイなどの出力装置並びにキーボードなどの入力装置などを備え、ＣＰＵがメモリなどに記憶されたプログラムを実行する。
設定受付部２００は、印刷指示に関する設定を入力させる設定画面をディスプレイなどに表示することにより、ユーザに印刷指示に関する設定の入力を促すとともに、印刷指示に関する設定の入力を受け付ける。なお、設定画面の詳細については、図３〜５を参照して後述する。
印刷指示生成部２０２は、例えば、プリンタドライバであり、設定受付部２００によって受け付けられた入力内容に基づいて印刷指示を生成し、印刷指示解釈部３０４に出力する。印刷指示は、ＰＤＬ（Ｐａｇｅ  Ｄｅｓｃｒｉｐｔｉｏｎ  Ｌａｎｇｕａｇｅ；ページ記述言語）によって記述される。なお、印刷指示の詳細については、図６，７を参照して後述する。
【００４０】
[画像形成装置１０で動作するプログラム]
図２に示すように、画像形成装置１０では、変更受付部３００、デフォルト変更部３０２、印刷指示解釈部３０４、サブセット分割判定部３０６、ラスタライズ部３０８及び画像処理部３１０が動作する。画像形成装置１０の全体制御部１０２（図１）において、ＣＰＵがメモリなどに記憶されたプログラムを実行する。
変更受付部３００は、デフォルトの印刷属性を変更させる変更画面をＵＩ１０６（図１）に表示することにより、ユーザにデフォルトの印刷属性の変更を促すとともに、デフォルトの印刷属性の変更を受け付ける。
デフォルト変更部３０２は、変更受付部３００によって受け付けられた変更内容に基づいて、メモリなどに記憶されたデフォルトの印刷属性を変更する。なお、変更画面の詳細については、図８を参照して後述する。
【００４１】
印刷指示解釈部３０４は、印刷指示生成部２０２によって生成された印刷指示を解釈し、解釈結果をサブセット分割判定部３０６に出力するとともに、解釈結果に基づいて印刷指示を中間データに変換して、ラスタライズ部３０８に出力する。
印刷指示解釈部３０４は、例えば、印刷指示生成部２０２によって生成された印刷指示がＸＭＬ（ｅＸｔｅｎｓｉｂｌｅ  Ｍａｒｋｕｐ  Ｌａｎｇｕａｇｅ）で記述されている場合、印刷指示にどのような要素が含まれており、各要素がどのような包含関係にあるかを解釈し、解釈結果をサブセット分割判定部３０６に出力する。
【００４２】
サブセット分割判定部３０６は、印刷指示解釈部３０４による解釈結果及びメモリなどに記憶されたデフォルトの印刷属性に基づいて、サブセットが設定されている場合、どのようにして印刷指示に含まれるページをサブセットに分けるか（サブセット分割）を判定する。判定結果は、図２の用紙処理制御部１２０に送信される。
印刷指示には、印刷対象となる画像データのページのほか、サブセットに別途追加されるページ（例えば、印刷済みの表表紙のページ及び印刷済みの裏表紙のページ）や、サブセット間に別途追加されるページ（例えば、白紙のページ）も含まれ、印刷指示に含まれるページごとにサブセット分割が判定される。サブセット分割判定の詳細については、図９を参照して後述する。
【００４３】
ラスタライズ部３０８は、印刷指示解釈部３０４から出力された中間データをページ画像データであるフレームに変換して、画像処理部３１０に出力する。
画像処理部３１０は、ラスタライズ部３０８から出力されたフレームに対し、スクリーン処理などの画像処理を施し、図２の画像形成部１０４に送信する。
なお、中間データへの変換、フレームへの変換及び画像処理が、サブセット分割の判定と並行して行われてもよい。
【００４４】
図３〜５は、図２の設定受付部２００によって情報処理装置１０８のディスプレイなどに表示される設定画面の一例である。
図３，４は、表紙の挿入を設定するための設定画面であり、図５は、合紙の挿入を設定するための設定画面である。
図示しないが、図３〜５と同様の設定画面によって、ページの一部を例外ページとして、用紙の種別やサブセットとしてカウントするか否かを設定することができる。
【００４５】
図３に示すように、設定画面は、ヘッダ４００及びボディ４０２から構成される。
ヘッダ４００には、設定事項が示され、ボディ４０２には、表表紙設定部４０４及び裏表紙設定部４０６が表示される。
さらに、表表紙設定部４０４には、表表紙として用いる用紙を設定するためのリストボックス４０８−１、表表紙をサブセットとしてカウントするか否かを設定するためのチェックボックス４１０−１、表表紙に施す後処理の種別を設定するためのプルダウンメニュー４１２−１、及び、印刷指示全体に設定された印刷属性（グローバル印刷属性）の少なくとも一部を表示する表示部４１４−１が表示される（裏表示設定部４０６についても同様）。
【００４６】
先述したように、サブセットとしてカウントすることを設定したページに対し、後処理を施さないことは設定できないから、チェックボックス４１０にチェックが入ったにも関わらず、プルダウンメニュー４１２において後処理の種別が選択されていない場合には、例えば、警告画面を表示することにより、後処理の種別の選択を促してもよい。
また、プルダウンメニュー４１２の近傍に「チェックを入れた場合には、後処理の種別を選択してください。」などの文言を表示することにより、後処理の種別の選択を促してもよい。
【００４７】
図４（Ａ）に示すように、リストボックス４０８の「用紙を指定する」にカーソルを当てた場合、用紙の種別（図２の用紙収容部１４８に収容される用紙の種別に対応）を指定するためのリストボックス４１６がさらに表示される。
図４（Ｂ）に示すように、リストボックス４０８の「印刷済みの用紙を使う」にカーソルを当てた場合、印刷済みの用紙が積載されたトレイ（図２の積載部１４２に対応）の種別を選択するためのリストボックス４１８がさらに表示される。
図４（Ｃ）に示すように、プルダウンメニュー４１２内のプルダウンボタンにカーソルを当てた場合、後処理の種別（図１の用紙処理装置１２によって施される後処理の種別に対応）がさらに表示される。
【００４８】
図５に示すように、図３の画面例と同様、設定画面は、ヘッダ４００及びボディ４０２から構成される。ヘッダ４００には、設定事項が示される。ボディ４０２には、挿入オプションを設定するためのリストボックス４２０、挿入ページ数を設定するためのテキストボックス４２２、挿入先のページを設定するためのテキストボックス４２４、合紙として用いる用紙を設定するためのリストボックス４０８、合紙をサブセットとしてカウントするか否かを設定するためのチェックボックス４１０、合紙に施す後処理の種別を設定するためのプルダウンメニュー４１２、及び、グローバル印刷属性の少なくとも一部を表示する表示部４１４が表示される。つまり、図５の画面例は、図３の画面例にリストボックス４２０及びテキストボックス４２２，４２４が加えられた構成になっている。
【００４９】
図６は、図２の印刷指示生成部２０２によって生成される印刷指示を説明するための図である。
図６Ａでは、印刷すべき本文１〜ｎページをサブセットに設定するとともに、矢印Ａに示すように、このサブセットに印刷済みの表表紙のページを追加し、矢印Ｂに示すように、このサブセットに印刷済みの裏表紙のページを追加し、矢印Ｃに示すように、このサブセットと次のサブセットとの間に白紙のページを追加している。つまり、印刷すべき本文１〜ｎページ、印刷済みの表表紙のページ及び印刷済みの裏表紙のページをサブセットとしてカウントし、サブセット間に白紙のページを追加している。
さらに、サブセットに含まれるページ（印刷すべき本文１〜ｎページ、印刷済みの表表紙のページ及び印刷済みの裏表紙のページ）の少なくともいずれかに後処理を施すことを設定することにより、印刷すべき本文１〜ｎページ、印刷済みの表表紙のページ及び印刷済みの裏表紙のページをサブセットとして後処理を施し、後処理後のサブセット間に白紙を挿入するという印刷指示が生成される。
なお、後述するように、印刷済みの表表紙のページ、印刷済みの裏表紙のページ及び白紙のページを追加しているので、印刷指示に含まれるページの順序が調整される。例えば、印刷済みの表表紙のページが本文１ページの前に追加されるので、１番目のサブセットにおいて、印刷済みの表表紙のページが１ページ目となり、印刷済みの表表紙のページを追加する前には１ページ目であった本文１ページが２ページ目となる。
【００５０】
図６Ｂでは、印刷すべき表表紙のページ、本文１〜ｎページ及び裏表紙のページをサブセットに設定し、このサブセットと次のサブセットとの間に白紙のページを追加している。
さらに、サブセットに含まれるページ（印刷すべき表表紙のページ、本文１〜ｎページ及び裏表紙のページ）の少なくともいずれかに後処理を施すことを設定することにより、印刷すべき表表紙のページ、本文１〜ｎページ及び裏表紙のページをサブセットとして後処理を施し、後処理後のサブセット間に白紙を挿入するという印刷指示が生成される。
なお、後述するように、白紙のページを追加しているので、印刷指示に含まれるページの順序が調整される。
【００５１】
図７は、ＰＤＬによって記述された印刷指示（一部）の一例である。矢印Ａで示した箇所は、表紙に関する設定を記述した箇所であり、矢印Ｂで示した箇所は、合紙に関する設定を記述した箇所であり、矢印Ｃで示した箇所は、例外ページに関する設定を記述した箇所である。
【００５２】
図８は、図２の変更受付部３００によってＵＩ１０６などに表示される画面（変更画面）の一例である。
図８（Ａ）に示すように、変更画面には、現在設定されている印刷属性の一覧である設定一覧４２２及び印刷属性を変更するための変更ボタン４２４が表示される。設定一覧４２２に表示されている印刷属性のいずれかを選択し、変更ボタン４２４を押下することにより、図８（Ｂ）に示す画面に遷移する。図８（Ｂ）に示すように、変更画面には、図８（Ａ）の画面で選択した印刷属性を変更するためのラジオボタン４２６及び変更を確定するための確定ボタン４２８が表示される。
【００５３】
図８（Ａ）に示すように、設定一覧４２２には、表表紙をサブセットとしてカウントし、表表紙を含むサブセットにステープル処理を施すこと、及び、裏表紙には何も設定されていないことが表示されている。
図８（Ａ）の画面において、表表紙の設定を選択し、変更ボタン４２４を押下することにより、図８（Ｂ）に示す画面に遷移する。
図８（Ｂ）の画面において、ラジオボタンのいずれかを選択し、確定ボタン４２８を押下することにより、選択されたラジオボタンによって示される印刷属性が反映される。
【００５４】
図９は、図２のサブセット分割判定部３０４がサブセット分割を判定する処理の流れを示すフローである。なお、サブセットとしてカウントされるページの数を示すサブセットカウント（初期値は０）が予めメモリなどに記憶される。
図９に示すように、ステップ１００（Ｓ１００）において、図２の印刷指示解釈部３０４によって解釈された印刷指示に、サブセットを構成するページの数が含まれているか否かを判定する。サブセットを構成するページの数が含まれている場合には、サブセットが設定されているものとして、ステップ１０２の処理に進み、含まれていない場合には、サブセットは設定されていないものとして、サブセット分割判定を終了する。
ステップ１０２（Ｓ１０２）において、メモリなどからデフォルトの印刷属性を読み出す。
【００５５】
ステップ１０４（Ｓ１０４）において、印刷指示解釈部３０４によって解釈された印刷指示に含まれる印刷属性をステップ１０２において読み出した印刷属性と比較し、この印刷指示において特に指定のない印刷属性については、デフォルトの印刷属性を反映させる。
ステップ１０６（Ｓ１０６）において、印刷指示解釈部３０４によって解釈された印刷指示に含まれる印刷属性（又は、ステップ１０４においてデフォルトの印刷属性が反映された印刷属性）に基づいて、ページ属性として、用紙の挿入が設定されているか否かを判定する。表表紙のページを追加するなど、用紙の挿入が設定されている場合には、印刷指示に含まれるページの順序を調整する。上述したように、用紙の挿入が設定されている場合、印刷指示には、印刷対象となる画像データのページのほか、挿入される用紙のページも含まれる。
【００５６】
ステップ１０８（Ｓ１０８）において、ステップ１０６において調整された順序で、印刷指示に含まれるページごとに、ページ属性として、サブセット属性が設定されているか否かを判定する。設定されている場合には、ステップ１１０の処理に進み、設定されていない場合には、ステップ１１４の処理に進む。
ここでは、印刷指示に含まれるページのうち、追加されるページとそうでないページとを区別せずサブセット属性を判定しているが、追加されるページとそうでないページとで別々にサブセット属性を判定してもよい。この場合、サブセット属性を判定した後、印刷指示に含まれるページの順序を調整する。
ステップ１１０（Ｓ１１０）において、サブセットカウントに１を加える。
【００５７】
ステップ１１２（Ｓ１１２）において、ステップ１１０において１を加えた後のサブセットカウントが、ステップ１００において含まれていることが判定されたサブセットを構成するページの数と同じであるか否かを判定する。同じである場合には、直近のステップ１０８において判定がなされたページとこのページの次のページ（以下、単に「次ページ」）との間でサブセットが分割されることを図２の用紙処理制御部１２０に送信し、ステップ１１４の処理に進む。異なる場合には、ステップ１０８の処理に戻り、次ページについて、サブセット属性が設定されているか否かを判定する。
ステップ１１４（Ｓ１１４）において、サブセットカウントを初期値である０に戻し、ステップ１１６の処理に進む。
【００５８】
ステップ１１６（Ｓ１１６）において、印刷指示に含まれるページすべてについて、ステップ１０８における判定を行ったか否かを判定する。判定を行った場合には、サブセット分割判定を終了する。まだ判定を行っていない場合には、ステップ１０８の処理に戻り、次ページについて、サブセット属性が設定されているか否かを判定する。
以上説明したように、設定画面を介してサブセット属性を設定することができる。このことにより、特に、用紙が挿入される場合であっても、ユーザが所望するサブセット分割を行うことができる。
【符号の説明】
【００５９】
１      用紙処理システム
１０    画像形成装置
１００  搬送ロール
１０２  全体制御部
１０４  画像形成部
１０６  ＵＩ
１０８  情報処理装置
１１０  読取装置
１２    用紙処理装置
１２０  用紙処理制御部
１２２  トランスポートユニット
１２４  折りユニット
１２６  フィニッシャ
１２８  インターポーザ
１３０  折り機能部
１３２  ステープル機能部
１３４  第１の用紙積載部
１３６  第２の用紙積載部
１３８  コンパイルトレイ
１４０  ステープルヘッド
１４２  積載部    
１４４  送り出しロール
１４    用紙供給装置
１４６  用紙供給制御部
１４８  用紙収容部
１５０  送り出しロール
【図１】
2013097527.tif 000003
【図２】
2013097527.tif 000004
【図３】
2013097527.tif 000005
【図４】
2013097527.tif 000006
【図５】
2013097527.tif 000007
【図６Ａ】
2013097527.tif 000008
【図６Ｂ】
2013097527.tif 000009
【図７】
2013097527.tif 000010
【図８Ａ】
2013097527.tif 000011
【図８Ｂ】
2013097527.tif 000012
【図９】
2013097527.tif 000013